(57)【要約】      （修正有）【課題】本発明は格納部や反射鏡を備えない既存の様々な形状や大きさのグラスの内部に映像を映すことを可能にするための飲料用演出コースターを提供する。【解決手段】飲料用演出コースター１は、電波を通す誘電体から成る板状の物体であるコースター本体を備え、前記コースター本体のどちらか一方の面に飲料用容器１００を固定するための第一ポケット機構２０を備え、前記一方の面に映像表示装置８０を固定するための第二ポケット機構３０を備え、前記第一ポケット機構２０に挿入される柔軟性を有した材料から成る第一スペーサー２１を備え、前記第二ポケット機構３０に挿入される柔軟性を有した材料から成る第二スペーサー３１を備え、前記第二ポケット機構３０は電波を通す誘電体から成ることを特徴とする。【選択図】図１
2020192295.tif 000002
【特許請求の範囲】
【請求項１】
電波を通す誘電体から成る板状の物体であるコースター本体を備え、
前記コースター本体のどちらか一方の面に飲料用容器を固定するための第一ポケット機構を備え、
前記一方の面に映像表示装置を固定するための第二ポケット機構を備え、
前記第一ポケット機構に挿入される柔軟性を有した材料から成る第一スペーサーを備え、
前記第二ポケット機構に挿入される柔軟性を有した材料から成る第二スペーサーを備え、
前記第二ポケット機構は電波を通す誘電体から成ることを特徴とする飲料用演出コースター。
【請求項２】
前記第一ポケット機構及び前記第二ポケット機構が透明な材料から成ることを特徴とする請求項１に記載の飲料用演出コースター。
【請求項３】
前記第一ポケット機構の内部の前記飲料用容器が接する面に前記飲料用容器を前記コースター本体に固定するための吸盤を備えることを特徴とする請求項１〜２のいずれか一項に記載の飲料用演出コースター。
【請求項４】
前記飲料用容器を挟む事により前記コースター本体に前記飲料用容器を固定するためのクランプ機構を備えることを特徴とする請求項１〜２のいずれか一項に記載の飲料用演出コースター。
【請求項５】
前記飲料用容器と前記映像表示装置の距離を調節するためのアジャスター機構を備えることを特徴とする請求項１〜４のいずれか一項に記載の飲料用演出コースター。
【請求項６】
異なる厚さの複数の前記第二スペーサーを備えることを特徴とする請求項５に記載の飲料用演出コースター。
【発明の詳細な説明】
【技術分野】
【０００１】  本発明は、様々な形状や大きさの飲料用容器に映像を映すための飲料用演出コースターに関する。
【背景技術】
【０００２】  飲料を入れる機能以外に様々な機能を持ったグラスが開発されている。
例えば特許文献１〜３には本願発明者が発明した飲料用演出グラスが開示されている。この飲料用演出グラスは、グラス本体と、グラス本体の底部から内部側にのびており携帯型通信装置を格納するための格納部と、グラス本体の側面から内部側にのびており携帯型通信装置の電波を通過させるための導波部を備えている。この飲料用演出グラスはグラス本体内に飲料を充填した状態でも携帯型通信装置の電波を導波部を通して外部に出して無線通信できる。
特許文献４には本願発明者が発明した飲料用演出グラスが開示されている。この飲料用演出グラスは、グラス側面に固定された映像表示装置と、グラス本体内部に配置された反射鏡とを備えてりおり、映像表示装置の映像を疑似的にグラス内部に投影する演出が可能なグラスである。
【先行技術文献】
【特許文献】
【０００３】
【特許文献１】特許第６３３７２５６号
【特許文献２】特許第６４０６７４２号
【特許文献３】特許第６４３２９６０号
【特許文献４】特許第６４８８０４９号
【発明の概要】
【発明が解決しようとする課題】
【０００４】  しかし、上記特許文献１〜４はグラス内に映像表示装置を格納するためにグラス側面や底面に凹部形状の格納部又は反射鏡を備えた専用の形状のグラスが必要となり、これら格納部や反射鏡を備えない通常のグラスを含めた既存の様々な形状のグラスの内部には映像を映すことが不可能という問題を有する。【０００５】  本発明は上記問題を鑑み、格納部や反射鏡を備えない既存の様々な形状や大きさのグラスの内部に映像を映すことを可能にするための飲料用演出コースターを提供することを課題とする。
【課題を解決するための手段】
【０００６】  電波を通す誘電体から成る板状の物体であるコースター本体を備え、前記コースター本体のどちらか一方の面に飲料用容器を固定するための第一ポケット機構を備え、前記一方の面に映像表示装置を固定するための第二ポケット機構を備え、前記第一ポケット機構に挿入される柔軟性を有した材料から成る第一スペーサーを備え、前記第二ポケット機構に挿入される柔軟性を有した材料から成る第二スペーサーを備え、前記第二ポケット機構は電波を通す誘電体から成ることを特徴とする。
また、前記第一ポケット機構及び前記第二ポケット機構が透明な材料から成ることを特徴とする。
また、前記第一ポケット機構の内部の前記飲料用容器が接する面に前記飲料用容器を前記コースター本体に固定するための吸盤を備えることを特徴とする。
また、前記飲料用容器を挟む事により前記コースター本体に前記飲料用容器を固定するためのクランプ機構を備えることを特徴とする。
また、前記飲料用容器と前記映像表示装置の距離を調節するためのアジャスター機構を備えることを特徴とする。
また、異なる厚さの複数の前記第二スペーサーを備えることを特徴とする。
【発明の効果】
【０００７】  本発明の飲料用演出コースターは、グラスやジョッキ等の飲料用容器と映像表示装置を固定するためにポケット機構を用いているため着脱が容易であり、また様々な形状や大きさの飲料用容器と映像表示装置を固定する事が出来、ポケット機構を透明な材料から成るようにする事により映像表示装置を飲料用容器の方向に向けて固定した場合と映像表示装置を飲料用容器の反対方向に向けて固定した場合の両方の場合においてもユーザーは映像表示装置の映像を視認出来るため、映像表示装置を飲料用容器近傍にリバーシブルに固定出来る。
本発明の飲料用演出コースターにより飲料用容器と映像表示装置は一体化するため、飲料用容器を持ち上げた場合や傾斜させた場合においても飲料用容器と映像表示装置の相対位置は変わらず同期して動かす事が可能になるため、ユーザーは乾杯行為時も飲料行為時の間も常に飲料用容器の内部の飲料越しに映像表示装置の映像を視認出来る。また、飲料用容器の内部の飲料を以て映像を着色する演出が出来る（例えば飲料が琥珀色のウィスキーの場合はユーザーから見た映像は琥珀色に着色して見える）
ポケット機構の内部に柔軟性を有した材料から成るスペーサーを備えるため、様々な形状や大きさの飲料用容器と映像表示装置をコースター本体に強固に固定する事が出来る。
ポケット機構の内部に吸盤を備えるため、飲料用容器をコースター本体を更に強固に固定する事が出来るため、乾杯行為時の衝撃によるコースター本体と映像表示装置の落下が防止出来る。
バネやネジ式のクランプ機構を備えるため飲料用容器をそのクランプ機構を以て挟む事によりコースター本体に飲料用容器を更に強固に固定する事が出来、これにより飲料用容器を持ち上げたり、傾斜させたり或は他のグラスに衝突させた場合（乾杯行為の場合）でもコースター本体とそれに固定された映像表示装置の落下を防げる。
湾曲部を有した飲料用容器に飲料（液体）が充填されている場合、ユーザーがその飲料容器越しに映像表示装置に映った映像を見ると、飲料と空気の光の屈折率は違うため虫眼鏡と同じ原理により映像が拡大して見えるが、この拡大率はガラス等を用いた通常の虫眼鏡と全く同様に映像表示装置と飲料用容器の距離に依存する、そのため映像表示装置と飲料用容器の距離を調整するネジ式等のアジャスター機構を用いることにより、ユーザーは飲料用容器の飲料越しに見る映像の拡大率を変更出来る。
コースター本体と映像表示装置を挿入して固定するポケット機構は電波を通す誘電体から成るため飲料用容器の近傍に配置される映像表示装置がスマートフォン等の携帯型通信装置に内蔵の映像表示装置の場合においてもその携帯型通信装置の電波や通信の送受信を阻害しない。
【図面の簡単な説明】
【０００８】
【図１】第１の実施の形態の飲料用演出コースターを示す斜視図（ａ）及び断面図（ｂ）
【図２】第一ポケット機構の内部に吸盤を備える事により飲料用容器の固定強度を補強した例の断面図
【図３】クランプ機構を備える事により飲料用容器の固定強度を補強した例の断面図
【図４】透明な材料から成るポケット機構を備える飲料用演出コースターを示す断面図（ａ）及び（ｂ）
【図５】第２の実施の形態の飲料用演出コースターを示す断面図
【発明を実施するための形態】
【０００９】［飲料用演出コースターの第１の実施の形態］
以下、本発明の飲料用演出コースターの第１の実施の形態を図面を用いて示す。
図１に示すように、飲料用演出コースター１はコースター本体１０、第一ポケット機構２０、第一スペーサー２１、第二ポケット機構３０、第二スペーサー３１から概略構成される。
コースター本体１０は電波を通す誘電体からなる板状の物体でありコースター本体１０の材質としては、ガラス、アクリル、硬質ウレタン、導体を含んでいない樹脂や陶器等が挙げられる（なお金属は導体であり電波或は通信を遮蔽するためコースター本体１０の材質としては不適である）。
第一ポケット機構２０はコースター本体１０に飲料用容器１００を固定するための固定機構である。第一ポケット機構２０はコースター本体１０のどちらか一方の面に設けられている。
第一スペーサー２１は図１（ｂ）に示すように第一ポケット機構２０に飲料用容器１００と一緒に挿入する事により飲料用容器１００とコースター本体１０の固定強度を強化するための部材である。第一スペーサー２１は柔軟性を有した材料から成り形状が外力により変形するため様々な形状や大きさの飲料用容器１００をコースター本体１０に強固に固定する事が可能である。また、第一スペーサー２１の厚さを飲料用容器１００の大きさや径に応じて変える事により様々な大きさや径の飲料用容器１００をコースター本体１０に固定する事が可能になる。なお、第一スペーサー２１の材質としてはゴムや柔軟な樹脂、軟質塩化ビニール、発砲スチロール、発砲ウレタン、コルク、綿等が挙げられる。
第二ポケット機構３０はコースター本体１０に映像表示装置８０を固定するための固定機構である。第二ポケット機構３０は第一ポケット機構２０を備える面と同じ面に設けられている。
第二ポケット機構３０は電波を通す誘電体から成り、材質としては、ガラス、アクリル、硬質ウレタン、導体を含んでいない樹脂等が挙げられる。なお、金属は導体であり電波或は通信を遮蔽するため第二ポケット機構３０の材質としては不適である（仮に第二ポケット機構３０が金属等の電波を通さない導体製とした場合、映像表示装置８０の下部近傍の全ての側面と底面からの電波が遮蔽される）。
コースター本体１０と第二ポケット機構３０は共に電波を通す誘電体から成るため映像表示装置８０がスマートフォン等の携帯型通信装置に内蔵の映像表示装置の場合においてもその携帯型通信装置の電波や通信の送受信を阻害しない。特に携帯型通信装置の筐体下部近傍にフィルムやシート形状のループアンテナが配置されている機種（現在市場に流通しているスマートフォンはこのタイプが多い）にはコースター本体１０と第二ポケット機構３０共に誘電体にする事は電波受信強度を高める上で有利である。
第二スペーサー３１は図１（ｂ）に示すように第二ポケット機構３０に映像表示装置８０と一緒に挿入する事により映像表示装置８０とコースター本体１０の固定強度を強化するための部材である。第二スペーサー３１は柔軟性を有した材料から成るため様々な形状や大きさの映像表示装置８０をコースター本体１０に強固に固定する事が可能である。また、第二スペーサー３１の厚さを映像表示装置８０の厚さに応じて変える事により様々な厚さの映像表示装置８０をコースター本体１０に固定する事が可能になる。第二スペーサー３１の材質としてはゴムや柔軟な樹脂、軟質塩化ビニール、発砲スチロール、発砲ウレタン、コルク、綿等が挙げられる。
第一ポケット機構２０と第二ポケット機構３０はコースター本体１０の同じ面に設けられており、ユーザーＵは飲料用容器１００の内部に充填された清涼飲料水やアルコール飲料等の飲料Ｌ越しに映像表示装置８０の映像表示面８１に映った映像８２を視認する事が可能であり、これにより飲料用容器の内部の飲料Ｌを以て映像８２を着色する演出が出来る。例えば飲料Ｌが琥珀色のウィスキーの場合はユーザーＵから見た映像８２は琥珀色に着色して見える。
第一ポケット機構２０、第二ポケット機構３０、第一スペーサー２１、第二スペーサー３１により飲料用容器１００と映像表示装置８０はコースター本体１０を介して一体化するためユーザーＵが乾杯行為時や飲料行為時に飲料用容器１００を移動させている最中でも飲料用容器１００の内部の飲料Ｌに投影される映像８２の投影位置は変わららないため、ユーザーＵは常に飲料Ｌの内部に映像８２を視認出来る。
コースター本体１０に固定される飲料用容器１００は通常のコップやグラスの形状でも取っ手１０１が付いたジョッキ型の形状でも良く、蓋の付いたボトル型の形状でも良い。
【００１０】  コースター本体１０は通常のコースターと違いユーザーＵが飲料行為時や乾杯行為時に飲料用容器１００を持ち上げた場合でも映像表示装置８０とコースター本体１０を重力に逆らって支持出来るだけの固定強度が必要である。しかし、図１のように第一ポケット機構２０と第一スペーサー２１を用いた固定方法だけではユーザーＵが飲料Ｌを飲むために飲料用容器１００を傾斜させた際や乾杯行為時に他のグラスやジョッキに衝突させた際の衝撃により第一ポケット機構２０から飲料用容器１００が外れて落下してしまう可能性が有る。これを防止するために図２に示すように第一ポケット機構２０の内部の飲料用容器１００が接する面に飲料用容器１００をコースター本体１０に固定するための吸盤２２を設ける事によりコースター本体１０と飲料用容器１００の固定強度を補強しても良い。また、図３に示すようにコースター本体１０にバネ或はネジ式のクランプ機構２３を備える事により飲料用容器１００を挟み込んでコースター本体１０に固定する事によりコースター本体１０と飲料用容器１００の固定強度を補強しても良い。
【００１１】  図４に示すように第一ポケット機構２０及び第二ポケット機構３０を透明な材料（例えば透明なガラスやアクリル製）から成るようにする事により、映像表示装置８０の映像表示面８１を図４（ａ）のように飲料用容器１００の内側に向けた状態と図４（ｂ）のように飲料用容器１００の外側に向けた状態のどちらの状態で固定した場合でもユーザーＵは映像表示装置８０の映像表示面８１の視認が可能になる（つまり第一ポケット機構２０及び第二ポケット機構３０により映像８２一部又は全部が遮られなくなる）。これにより飲料用容器１００の飲料Ｌを透過させて映像８２を見る通常の利用形態と飲料Ｌを透過させないで見る利用形態とをリバーシブルに切り替えられるようになる。なお、ガラスもアクリルは誘電体である（但し導電性ガラスや導電が添加された樹脂は除く）。
【００１２】［飲料用演出コースターの第２の実施の形態］
以下、本発明の飲料用演出コースターの第２の実施の形態を図面を用いて示すが、上記第１の実施の形態の飲料用演出コースター１と同一の構成となる箇所については同一の符号を付してその説明を省略する。
水の光の屈折率は空気に比して約１．３３倍であるため飲料用容器１００の形状が円柱形や球形等の湾曲部を備える形状の場合はその断面が両凸レンズや球状レンズと同じ形状になるため、ユーザーＵが飲料用容器１００の飲料Ｌ越しに映像表示装置８０の映像８２を見ると映像８２は拡大して見える（但し水の光の屈折率はガラスの光の屈折率に比して約８〜１０［％］低いためガラスを用いた通常の虫眼鏡に比して拡大率は低い）。
虫眼鏡を通して物体を見る場合その物体と虫眼鏡の距離が離れていれば離れている程物体が拡大して見える事が知られている（これは光学の最も基本的な法則であるレンズの公式やフェルマーの原理からも求められる、詳細は光学の専門書を参考されたい）、そのため本実施の形態の飲料用演出コースターは、図５に示すように映像表示装置８０と飲料用容器１００の距離ｄを調整するためのアジャスター機構４０を備える事によりユーザーＵにて映像８２の拡大率を調整出来るようにしている。なお、アジャスター機構４０としてはネジにて距離ｄを調整する通常の方式の他に複数の異なる厚さの第二スペーサー３１を用いてそれらを必要な距離ｄになるように交換する事により距離ｄを調整する方式を用いても良い。
【産業上の利用可能性】
【００１３】  本発明は、様々な形状や大きさの飲料用容器の内部に映像表示装置の映像投射を可能にするための飲料用演出コースターであり、コースター本体を介して飲料用容器と映像表示装置が一体化するためユーザーは自分の好みの様々な形状や大きさのグラスの内部に映像を投影できる。以上より本発明は産業上の利用可能性を有する。
【符号の説明】
【００１４】Ｌ  飲料（液体）
ｄ  距離
Ｕ  ユーザー
１  飲料用演出コースター
１０  コースター本体
２０  第一ポケット機構
２１  第一スペーサー
２２  吸盤
２３  クランプ機構
３０  第二ポケット機構
３１  第二スペーサー
４０  アジャスター機構
８０  映像表示装置
８１  映像表示面
８２  映像
１００  飲料用容器
１０１  取っ手
【図１】
2020192295.tif 000003
【図２】
2020192295.tif 000004
【図３】
2020192295.tif 000005
【図４】
2020192295.tif 000006
【図５】
2020192295.tif 000007
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
電波を通す誘電体から成る板状の物体であるコースター本体を備え、
前記コースター本体のどちらか一方の面に飲料用容器を固定するための第一ポケット機構を備え、
前記一方の面に映像表示装置を固定するための第二ポケット機構を備え、
前記第一ポケット機構に挿入される柔軟性を有した材料から成る第一スペーサーを備え、
前記第二ポケット機構に挿入される柔軟性を有した材料から成る第二スペーサーを備え、
前記第二ポケット機構は電波を通す誘電体から成り、
前記第二ポケット機構は前記映像表示装置の映像表示面を前記飲料用容器の方に向けた状態で前記映像表示装置を固定するものであり、
前記飲料用容器と前記映像表示装置の距離を調節するためのアジャスター機構を備えることを特徴とする飲料用演出コースター。
【請求項２】
前記第一ポケット機構及び前記第二ポケット機構が透明な材料から成ることを特徴とする請求項1に記載の飲料用演出コースター。
【請求項３】
前記第一ポケット機構の内部の前記飲料用容器が接する面に前記飲料用容器を前記コースター本体に固定するための吸盤を備えることを特徴とする請求項1〜2のいずれか一項に記載の飲料用演出コースター。
【請求項４】
前記飲料用容器を挟む事により前記コースター本体に前記飲料用容器を固定するためのクランプ機構を備えることを特徴とする請求項1〜2のいずれか一項に記載の飲料用演出コースター。
【請求項５】
異なる厚さの複数の前記第二スペーサーを備えることを特徴とする請求項4に記載の飲料用演出コースター。
【手続補正２】
【補正対象書類名】明細書
【補正対象項目名】０００６
【補正方法】変更
【補正の内容】
【０００６】
本発明の飲料用コースターは、電波を通す誘電体から成る板状の物体であるコースター本体を備え、前記コースター本体のどちらか一方の面に飲料用容器を固定するための第一ポケット機構を備え、前記一方の面に映像表示装置を固定するための第二ポケット機構を備え、前記第一ポケット機構に挿入される柔軟性を有した材料から成る第一スペーサーを備え、前記第二ポケット機構に挿入される柔軟性を有した材料から成る第二スペーサーを備え、前記第二ポケット機構は電波を通す誘電体から成り、前記第二ポケット機構は前記映像表示装置の映像表示面を前記飲料用容器の方に向けた状態で前記映像表示装置を固定するものであり、前記飲料用容器と前記映像表示装置の距離を調節するためのアジャスター機構を備えることを特徴とする。
また、前記第一ポケット機構及び前記第二ポケット機構が透明な材料から成ることを特徴とする。
また、前記第一ポケット機構の内部の前記飲料用容器が接する面に前記飲料用容器を前記コースター本体に固定するための吸盤を備えることを特徴とする。
また、前記飲料用容器を挟む事により前記コースター本体に前記飲料用容器を固定するためのクランプ機構を備えることを特徴とする。
また、異なる厚さの複数の前記第二スペーサーを備えることを特徴とする。